(57)【要約】      （修正有）【課題】偏光サングラス対策等のために、観察者側の偏光膜の吸収軸を任意の方向に設定可能とする。【解決手段】映像線は局所的に屈曲しながら全体として基準方向に延在し、前記基準方向に対して、前記映像線の局所的な延在方向Ｆとの狭角をθ１、画素電極の線状部分の延在方向Ｄとの狭角をθ２、第２配向膜の配向軸Ｂとの狭角をθ３、第２偏光膜の吸収軸Ａとの狭角をθ４とし、θ１、θ２、θ３、θ４を前記基準方向から時計回りを正方向として、各サブピクセルの中では、θ１、θ２、θ３の符号が全て同じであり、また、全てのサブピクセルにおいて、θ１の符号が同じであり、かつ、下記式を満足する。（１）１０°≦｜θ１｜≦｜θ３｜、１０°≦｜θ２｜≦｜θ３｜、（２）０°≦｜θ３−θ２｜≦２０°、（３）０°≦｜θ１−θ２｜≦２°、（４）１０°≦｜θ３｜≦８０°、（５）０°≦｜θ３−θ４｜≦２°、あるいは、８８°≦｜θ３−θ４｜≦９２°【選択図】図４
2009115834.tif 000002
【特許請求の範囲】
【請求項１】
第１基板と、前記第１基板よりも観察者側に配置される第２基板と、前記第１基板と前記第２基板との間に挟持されるポジ型液晶とを有する液晶表示パネルを備え、
前記液晶表示パネルは、表示領域内に複数のサブピクセルを有し、
前記複数のサブピクセルの各サブピクセルは、前記第１基板上に形成された第１電極と、前記第１基板上に形成された第２電極とを有し、
前記第１電極と前記第２電極との間の電位差によって電界を発生させて前記液晶を駆動する液晶表示装置であって、
前記第１基板は、前記液晶側の面に配置される第１配向膜と、
前記各サブピクセルに映像信号を入力する複数の映像線と、
前記液晶と反対側の面に配置される第１偏光膜とを有し、
前記第２基板は、前記液晶側の面に配置される第２配向膜と、
前記液晶と反対側の面に配置される第２偏光膜とを有し、
前記第１電極は、前記各サブピクセルの長辺と短辺とのうち長辺方向に延在する線状部分を有し、
１サブピクセル内では、前記第１電極の前記線状部分の延在方向は１つであり、
前記映像線は、局所的に屈曲しながら全体として前記液晶表示パネルの前記表示領域の任意の一辺に沿った第１の方向に延在し、
前記第１の方向を基準方向とし、
前記基準方向と前記映像線の局所的な延在方向との交差角の中で狭い方の角度をθ１、
前記基準方向と前記第１電極の前記線状部分の延在方向との交差角の中で狭い方の角度をθ２、
前記基準方向と前記第２配向膜の配向軸との交差角の中で狭い方の角度をθ３、
前記基準方向と前記第２偏光膜の吸収軸との交差角の中で狭い方の角度をθ４とし、
θ１、θ２、θ３、θ４を前記基準方向から時計回りを正方向として−９０°〜＋９０°の範囲で測ったとき、
１つのサブピクセルの中で、θ１、θ２、θ３の符号が全て同じであり、かつ、全てのサブピクセルにおいて、θ１の符号が同じであり、かつ、全てのサブピクセルにおいて、下記（１）ないし（５）式を満足することを特徴とする液晶表示装置。
（１）１０°≦｜θ１｜≦｜θ３｜、１０°≦｜θ２｜≦｜θ３｜
（２）０°≦｜θ３−θ２｜≦２０°
（３）０°≦｜θ１−θ２｜≦２°
（４）１０°≦｜θ３｜≦８０°
（５）０°≦｜θ３−θ４｜≦２°、あるいは、８８°≦｜θ３−θ４｜≦９２°
【請求項２】
前記θ３は、３０°≦｜θ３｜≦６０°を満足することを特徴とする請求項１に記載の液晶表示装置。
【請求項３】
前記基準方向と前記第１配向膜の配向軸との交差角の中で狭い方の角度をθ５、
前記基準方向と前記第１偏光膜の吸収軸との交差角の中で狭い方の角度をθ６とし、
θ５、θ６を前記基準方向から時計回りを正方向として−９０°〜＋９０°の範囲で測ったとき、０°≦｜θ３−θ５｜≦２°、８９°≦｜θ４−θ６｜≦９１°を満足することを特徴とする請求項１または請求項２に記載の液晶表示装置。
【請求項４】
第１基板と、前記第１基板よりも観察者側に配置される第２基板と、前記第１基板と前記第２基板との間に挟持されるネガ型液晶とを有する液晶表示パネルを備え、
前記液晶表示パネルは、表示領域内に複数のサブピクセルを有し、
前記複数のサブピクセルの各サブピクセルは、前記第１基板上に形成された第１電極と、前記第１基板上に形成された第２電極とを有し、
前記第１電極と前記第２電極との間の電位差によって電界を発生させて前記液晶を駆動する液晶表示装置であって、
前記第１基板は、前記液晶側の面に配置される第１配向膜と、
前記各サブピクセルに映像信号を入力する複数の映像線と、
前記液晶と反対側の面に配置される第１偏光膜とを有し、
前記第２基板は、前記液晶側の面に配置される第２配向膜と、
前記液晶と反対側の面に配置される第２偏光膜とを有し、
前記第１電極は、前記各サブピクセルの長辺と短辺とのうち長辺方向に延在する線状部分を有し、
１サブピクセル内では、前記第１電極の前記線状部分の延在方向は１つであり、
前記映像線は、局所的に屈曲しながら全体として前記液晶表示パネルの前記表示領域の任意の一辺に沿った第１の方向に延在し、
前記第１の方向を基準方向とし、
前記基準方向と前記映像線の局所的な延在方向との交差角の中で狭い方の角度をθ１、
前記基準方向と前記第１電極の前記線状部分の延在方向との交差角の中で狭い方の角度をθ２、
前記基準方向と前記第２配向膜の配向軸に直交する方向との交差角の中で狭い方の角度をΘ３、
前記基準方向と前記第２偏光膜の吸収軸との交差角の中で狭い方の角度をθ４とし、
θ１、θ２、Θ３、θ４を前記基準方向から時計回りを正方向として−９０°〜＋９０°の範囲で測ったとき、
１つのサブピクセルの中で、θ１、θ２、Θ３の符号が全て同じであり、かつ、全てのサブピクセルにおいて、θ１の符号が同じであり、かつ、全てのサブピクセルにおいて、下記（１）ないし（５）式を満足することを特徴とする液晶表示装置。
（１）１０°≦｜θ１｜≦｜Θ３｜、１０°≦｜θ２｜≦｜Θ３｜
（２）０°≦｜Θ３−θ２｜≦２０°
（３）０°≦｜θ１−θ２｜≦２°
（４）１０°≦｜Θ３｜≦８０°
（５）０°≦｜Θ３−θ４｜≦２°、あるいは、８８°≦|Θ３−θ４｜≦９２°
【請求項５】
前記Θ３は、３０°≦｜Θ３｜≦６０°を満足することを特徴とする請求項４に記載の液晶表示装置。
【請求項６】
前記基準方向と前記第１配向膜の配向軸に直交する方向との交差角の中で狭い方の角度をΘ５、
前記基準方向と前記第１偏光膜の吸収軸との交差角の中で狭い方の角度をθ６とし、
Θ５、θ６を前記基準方向から時計回りを正方向として−９０°〜＋９０°の範囲で測ったとき、０°≦｜Θ３−Θ５｜≦２°、８９°≦｜θ４−θ６｜≦９１°を満足することを特徴とする請求項４または請求項５に記載の液晶表示装置。
【請求項７】
前記θ１は、１０°≦｜θ１｜≦４５°を満足することを特徴とする請求項１ないし請求項６のいずれか１項に記載の液晶表示装置。
【請求項８】
前記θ１は、１０°≦｜θ１｜≦３０°を満足することを特徴とする請求項７に記載の液晶表示装置。
【請求項９】
前記複数のサブピクセルの配置は、デルタ配置であり、
前記θ１は、１０°≦｜θ１｜≦１５°を満足することを特徴とする請求項１ないし請求項６のいずれか１項に記載の液晶表示装置。
【請求項１０】
前記第１基板は、前記各サブピクセルに走査信号を入力する複数の走査線を有し、
前記走査線は、前記第１の方向に交差する第２の方向に延在し、
前記基準方向と前記複数の走査線の各走査線の延在方向との交差角の中で狭い方の角度をθ７とするとき、８８°≦｜θ７｜≦９０°を満足することを特徴とする請求項１ないし請求項９のいずれか１項に記載の液晶表示装置。
【請求項１１】
前記第１基板は、前記各サブピクセルに走査信号を入力する複数の走査線を有し、
前記走査線は、局所的に屈曲しながら全体として前記第１の方向に交差する第２の方向に延在し、
前記基準方向と前記走査線の局所的な延在方向との交差角の中で狭い方の角度をθ７とするとき、４５°≦｜θ７｜≦９０°を満足することを特徴とする請求項１ないし請求項９のいずれか１項に記載の液晶表示装置。
【請求項１２】
第１基板と、前記第１基板よりも観察者側に配置される第２基板と、前記第１基板と前記第２基板との間に挟持されるポジ型液晶とを有する液晶表示パネルを備え、
前記液晶表示パネルは、表示領域内に複数のサブピクセルを有し、
前記複数のサブピクセルの各サブピクセルは、前記第１基板上に形成された第１電極と、前記第１基板上に形成された第２電極とを有し、
前記第１電極と前記第２電極の間の電位差とによって電界を発生させて前記液晶を駆動する液晶表示装置であって、
前記第１基板は、前記液晶側の面に配置される第１配向膜と、
前記各サブピクセルに走査信号を入力する複数の走査線と、
前記液晶と反対側の面に配置される第１偏光膜とを有し、
前記第２基板は、前記液晶側の面に配置される第２配向膜と、
前記液晶と反対側の面に配置される第２偏光膜とを有し、
前記第１電極は、前記各サブピクセルの長辺と短辺とのうち短辺方向に延在する線状部分を有し、
１サブピクセル内では、前記第１電極の前記線状部分の延在方向は１つであり、
前記走査線は、局所的に屈曲しながら全体として前記液晶表示パネルの前記表示領域の任意の一辺に沿った第１の方向に延在し、
前記第１の方向を基準方向とし、
前記基準方向と前記走査線の局所的な延在方向との交差角の中で狭い方の角度をφ１、
前記基準方向と前記第１電極の前記線状部分の延在方向との交差角の中で狭い方の角度をφ２、
前記基準方向と前記第２配向膜の配向軸との交差角の中で狭い方の角度をφ３、
前記基準方向と前記第２偏光膜の吸収軸との交差角の中で狭い方の角度をφ４とし、
φ１、φ２、φ３、φ４を前記基準方向から時計回りを正方向として−９０°〜＋９０°の範囲で測ったとき、
１つのサブピクセルの中で、φ１、φ２、φ３の符号が全て同じであり、かつ、全てのサブピクセルにおいて、φ１の符号が同じであり、かつ、全てのサブピクセルにおいて、下記（１）ないし（５）式を満足することを特徴とする液晶表示装置。
（１）１０°≦｜φ１｜≦｜φ３｜、１０°≦｜φ２｜≦｜φ３｜
（２）０°≦｜φ３−φ２｜≦２０°
（３）０°≦｜φ１−φ２｜≦２°
（４）１０°≦｜φ３｜≦８０°
（５）０°≦｜φ３−φ４｜≦２°、あるいは、８８°≦｜φ３−φ４｜≦９２°
【請求項１３】
前記φ３は、３０°≦｜φ３｜≦６０°を満足することを特徴とする請求項１２に記載の液晶表示装置。
【請求項１４】
前記基準方向と前記第１配向膜の配向軸との交差角の中で狭い方の角度をφ５、
前記基準方向と前記第１偏光膜の吸収軸との交差角の中で狭い方の角度をφ６とし、
θ５、θ６を前記基準方向から時計回りを正方向として−９０°〜＋９０°の範囲で測ったとき、０°≦｜φ３−φ５｜≦２°、８９°≦｜φ４−φ６｜≦９１°を満足することを特徴とする請求項１２または請求項１３に記載の液晶表示装置。
【請求項１５】
第１基板と、前記第１基板よりも観察者側に配置される第２基板と、前記第１基板と前記第２基板との間に挟持されるネガ型液晶とを有する液晶表示パネルを備え、
前記液晶表示パネルは、表示領域内に複数のサブピクセルを有し、
前記複数のサブピクセルの各サブピクセルは、前記第１基板上に形成された第１電極と、前記第１基板上に形成された第２電極とを有し、
前記第１電極と前記第２電極との間の電位差によって電界を発生させて前記液晶を駆動する液晶表示装置であって、
前記第１基板は、前記液晶側の面に配置される第１配向膜と、
前記各サブピクセルに走査信号を入力する複数の走査線と、
前記液晶と反対側の面に配置される第１偏光膜とを有し、
前記第２基板は、前記液晶側の面に配置される第２配向膜と、
前記液晶と反対側の面に配置される第２偏光膜とを有し、
前記第１電極は、前記各サブピクセルの長辺と短辺とのうち短辺方向に延在する線状部分を有し、
１サブピクセル内では、前記第１電極の前記線状部分の延在方向は１つであり、
前記走査線は、局所的に屈曲しながら全体として前記液晶表示パネルの前記表示領域の任意の一辺に沿った第１の方向に延在し、
前記第１の方向を基準方向とし、
前記基準方向と前記走査線の局所的な延在方向との交差角の中で狭い方の角度をφ１、
前記基準方向と前記第１電極の前記線状部分の延在方向との交差角の中で狭い方の角度をφ２、
前記基準方向と前記第２配向膜の配向軸に直交する方向との交差角の中で狭い方の角度をΦ３、
前記基準方向と前記第２偏光膜の吸収軸との交差角の中で狭い方の角度をφ４とし、
φ１、φ２、Φ３、φ４を前記基準方向から時計回りを正方向として−９０°〜＋９０°の範囲で測ったとき、
１つのサブピクセルの中で、φ１、φ２、Φ３の符号が全て同じであり、かつ、全てのサブピクセルにおいて、φ１の符号が同じであり、かつ、全てのサブピクセルにおいて、下記（１）ないし（５）式を満足することを特徴とする液晶表示装置。
（１）１０°≦｜φ１｜≦｜Φ３｜、１０°≦｜φ２｜≦｜Φ３｜
（２）０°≦｜Φ３−φ２｜≦２０°
（３）０°≦｜φ１−φ２｜≦２°
（４）１０°≦｜Φ３｜≦８０°
（５）０°≦｜Φ３−φ４｜≦２°、あるいは、８８°≦|Φ３−φ４｜≦９２°
【請求項１６】
前記Φ３は、３０°≦｜Φ３｜≦６０°を満足することを特徴とする請求項１５に記載の液晶表示装置。
【請求項１７】
前記基準方向と前記第１配向膜の配向軸に直交する方向との交差角の中で狭い方の角度をΦ５、
前記基準方向と前記第１偏光膜の吸収軸との交差角の中で狭い方の角度をφ６とし、
Φ５、φ６を前記基準方向から時計回りを正方向として−９０°〜＋９０°の範囲で測ったとき、０°≦｜Φ３−Φ５｜≦２°、８９°≦｜φ４−φ６｜≦９１°を満足することを特徴とする請求項１５または請求項１６に記載の液晶表示装置。
【請求項１８】
前記φ１は、１０°≦｜φ１｜≦４５°を満足することを特徴とする請求項１２ないし請求項１７のいずれか１項に記載の液晶表示装置。
【請求項１９】
前記φ１は、１０°≦｜φ１｜≦３０°を満足することを特徴とする請求項１８に記載の液晶表示装置。
【請求項２０】
前記第１基板は、前記各サブピクセルに映像信号を入力する複数の映像線を有し、
前記映像線は、前記第１の方向に交差する第２の方向に延在し、
前記基準方向と前記複数の映像線の各映像線の延在方向との交差角の中で狭い方の角度をφ７とするとき、８８°≦｜φ７｜≦９０°を満足することを特徴とする請求項１２ないし請求項１９のいずれか１項に記載の液晶表示装置。
【請求項２１】
前記第１基板は、前記各サブピクセルに映像信号を入力する複数の映像線を有し、
前記映像線は、局所的に屈曲しながら全体として前記第１の方向に交差する第２の方向に延在し、
前記基準方向と前記映像線の局所的な延在方向との交差角の中で狭い方の角度をφ７とするとき、４５°≦｜φ７｜≦９０°を満足することを特徴とする請求項１２ないし請求項１９のいずれか１項に記載の液晶表示装置。
【請求項２２】
前記第２電極は、線状部分を有し、前記第１電極との非重畳部分を有する電極であることを特徴とする請求項１ないし請求項２１のいずれか１項に記載の液晶表示装置。
【請求項２３】
前記第２電極は、絶縁膜を介して前記第１電極の下層に配置され、前記第１電極と重畳する面状の電極であることを特徴とする請求項１ないし請求項２１のいずれか１項に記載の液晶表示装置。
【請求項２４】
前記第１電極は、画素電極であり、
前記第２電極は、対向電極であることを特徴とする請求項１ないし請求項２３のいずれか１項に記載の液晶表示装置。
【請求項２５】
前記第１電極は、対向電極であり、
前記第２電極は、画素電極であることを特徴とする請求項１ないし請求項２３のいずれか１項に記載の液晶表示装置。
【発明の詳細な説明】
【技術分野】
【０００１】
本発明は、液晶表示装置に係り、特に、偏光サングラス対策を施した液晶表示装置に関する。
【背景技術】
【０００２】
アクティブ素子として薄膜トランジスタを使用するＴＦＴ方式の液晶表示パネルは高精細な画像を表示できるため、テレビ、パソコン用ディスプレイ等の表示装置として使用されている。特に、小型のＴＦＴ方式の液晶表示装置は、携帯電話機の表示部として多用されている。
一方、このＴＦＴ方式の液晶表示パネルには、縦電界方式（例えば、ＴＮ方式、ＥＣＢ方式、ＶＡ方式等）の液晶表示パネルと、横電界方式（ＩＰＳ方式ともいう）の液晶表示パネルが知られている。ＩＰＳ方式の液晶表示パネルは広い視野角が得られることが知られている。
一般に、ＩＰＳ方式の液晶表示パネルは、第１基板（以下、ＴＦＴ基板ともいう）と、第２基板（以下、対向基板ともいう）と、第１基板と第２基板との間に挟持された液晶とを有して構成される。そして、第１基板は、液晶側の面に配置される第１配向膜と、液晶と反対側の面に配置される第１偏光膜とを有し、第２基板は、液晶側の面に配置される第２配向膜と、液晶と反対側の面に配置される第２偏光膜とを有する。
また、液晶表示パネルでは、隣接する２本の走査線（ゲート線ともいう。）と、隣接する２本の映像線（ドレイン線ともいう。）とで囲まれる領域に、走査線からの走査信号によってオンする薄膜トランジスタと、映像線からの映像信号が前述の薄膜トランジスタを介して供給される画素電極とが形成されて、所謂、サブピクセルが構成される。
【０００３】
図１４は、従来のＩＰＳ方式の液晶表示パネルの電極構造の一例を説明するための図であり、同図（ａ）は平面図であり、同図（ｂ）は、同図（ａ）のＡ−Ａ’切断線に沿った断面構造を示す要部断面図である。なお、図１４（ａ）では、対向電極（ＣＴ）の図示は省略している。また、図１４（ｂ）では、画素電極（ＰＸ）、対向電極（ＣＴ）、層間絶縁膜（ＰＡＳ１）以外の構成の図示は省略している。
図１４に示す電極構造では、対向電極（ＣＴ）は面状に形成され、画素電極（ＰＸ）は、複数のスリット（ＳＬＴ）を有する電極とされる。ここで、スリット（ＳＬＴ）で分割された部分が画素電極（ＰＸ）の線状部分（櫛歯電極）（ＫＳＢ）となる。画素電極（ＰＸ）および対向電極（ＣＴ）は、例えば、ＩＴＯ（Indium Tin Oxide）等の透明導電膜で構成される。尚、図１４ではスリット（ＳＬＴ）の両端が閉じているが、スリット（ＳＬＴ）の一端が開放されていても良い。
さらに、線状部分を有する画素電極（ＰＸ）と面状の対向電極（ＣＴ）とが、層間絶縁膜（ＰＡＳ１）を介して積層されており、画素電極（ＰＸ）と対向電極（ＣＴ）との間に形成されるアーチ状の電気力線が液晶層を貫くように分布することにより液晶層（ＬＣ）を配向変化させる。
図１５は、従来のＩＰＳ方式の液晶表示パネルの電極構造の他の例を説明するための平面図である。
図１５に示す電極構造では、画素電極（ＰＸ）と対向電極（ＣＴ）とが、ともに線状部分（櫛歯電極）（ＫＳＢ）を有する電極で構成され、画素電極（ＰＸ）の隣り合う線状部分の間に、対向電極（ＣＴ）の線状部分が配置される点で、前述の図１４に示す電極構造と相異する。また、画素電極（ＰＸ）と対向電極（ＣＴ）とが、同層に配置されていても良いし、絶縁膜を介して異層に配置されていても良い。なお、図１４、図１５において、ＤＬは映像線、ＧＬは走査線である。
図１４、図１５の何れの場合も、画素電極（ＰＸ）と対向電極（ＣＴ）とがともに同じ基板上に形成され、画素電極（ＰＸ）と対向電極（ＣＴ）との間の電位差によって電界を発生させて液晶を駆動する。
【０００４】
従来、ＩＰＳ方式の液晶表示パネルでは、矩形形状の表示領域の長辺、あるいは、短辺のいずれか一方に平行になるように映像線（ＤＬ）が配置され、当該映像線（ＤＬ）に直交するように走査線（ＧＬ）が配置される。
また、ＩＰＳ方式の液晶表示パネルの画素電極（ＰＸ）は線状部分を有し、代表的なＩＰＳ方式の液晶表示パネルでは、いわゆるシングルドメイン構造の画素の場合、前述の画素電極（ＰＸ）の線状部分は映像線（ＤＬ）に平行となっている。ここで、いわゆるシングルドメイン構造の画素とは、１サブピクセル内では画素電極（ＰＸ）の線状部分の延在方向が主として１方向となっている。これに対して、いわゆるマルチドメイン構造の画素の場合、１サブピクセル内では画素電極（ＰＸ）の線状部分の延在方向が主として２方向以上となっている。
また、第１配向膜の配向軸（または、ラビング方向）と、第２配向膜の配向軸とは同一方向とされ、画素電極（ＰＸ）の線状部分は、第１配向膜の配向軸（あるいは第２配向膜の配向軸）と、画素電極（ＰＸ）の線状部分の延在方向との交差角の中で狭い方の角度が、所定の角度（以下、プレツイスト角という、通常は、−２０°〜２０°程度とされる）となるように形成される。
さらに、第１偏光膜の吸収軸と第２偏光膜の吸収軸とが互いに直交し、かつ、第１偏光膜の吸収軸、あるいは、第２偏光膜の吸収軸のいずれか一方が、第１配向膜の配向軸および第２配向膜の配向軸と一致するようにされる。
【発明の開示】
【発明が解決しようとする課題】
【０００５】
サングラスの中には偏光特性を持つものが存在し、偏光サングラスは左右方向に吸収軸を持っている。このため、観察者側の偏光膜の吸収軸が、偏光サングラスの吸収軸と直交してしまうと、観察者が偏光サングラスを掛けている場合に画像が見えない状況が発生する。また、直交から若干ずれている場合でも、表示が暗くなってしまうという問題がある。
観察者側の偏光膜の吸収軸と、偏光サングラスの吸収軸とを平行に配置すれば、表示が暗くなるという問題は回避できる。しかしながら、近年では、例えばＰＣ用モニタや携帯用端末などにおいて、液晶表示パネルを９０°回転させて用いることが可能な液晶表示装置が存在する。その場合、観察者が偏光サングラスを掛けていると、液晶表示パネルの回転前または回転後の何れか一方では表示が暗くなってしまうという問題が発生する。
この偏光サングラス対策のためには、観察者側の偏光膜の吸収軸を、０°、９０°から１０°以上外れた角度である１０°〜８０°、または−１０°〜−８０°、望ましくは、３０°以上外れた角度である３０°〜６０°、または−３０°〜−６０°にする必要がある。なお、０°は、映像線（ＤＬ）の延在方向、また、９０°は、映像線（ＤＬ）の延在方向に直交する方向であり、角度は、０°から時計回りに測定した角度である。また、本明細書において、吸収軸や配向軸や延在方向はベクトルではないので、０°の方向は±１８０°の方向と同じであり、９０°の方向は−９０°の方向と同じである。
縦電界方式の液晶表示パネルであれば、観察者側の偏光膜の吸収軸の方向は設計自由度が高いが、ＩＰＳ方式の液晶表示パネルでは、液晶分子の回転方向を制御する等の理由により、第１配向膜および第２配向膜の配向軸として、画素電極（ＰＸ）の線状部分の延在方向に対して、プレツイスト角だけ傾斜させる必要があり、観察者側の偏光膜の吸収軸の方向を画素電極の線状部分の延在方向と無関係に配置できないという、ＩＰＳ方式の液晶表示パネル特有の問題があった。
【０００６】
従来のＩＰＳ方式の液晶表示パネルでは、シングルドメイン構造の画素の場合、映像線（ＤＬ）の延在方向を１２時の方向、かつ、０°の方向としたとき、画素電極（ＰＸ）の延在方向を０°の方向、かつ、観察者側の偏光膜の吸収軸を、−７５°または−８０°の方向としたものが存在する。しかしながら、これは、ただ単にプレツイスト角である１０°または１５°の分だけ、観察者側の偏光膜の吸収軸を０°または９０°の方向から傾けただけであり、これだけでは傾け方が不十分な場合がある。また、観察者側の偏光膜の吸収軸の角度を０°または９０°の方向からプレツイスト角以上に自由な方向に傾けたい場合がある。
また、従来のＩＰＳ方式の液晶表示パネルでは、マルチドメイン構造の画素の場合、配向膜の配向軸および偏光膜の吸収軸は、０°または９０°の方向に設定し、１つのサブピクセル内で、画素電極（ＰＸ）の線状部分の延在方向を、一部の領域では配向膜の配向軸に対してプレツイスト角の分だけ正方向に傾け、他の領域では配向膜の配向軸に対してプレツイスト角の分だけ負方向に傾けるのが一般的であった。そのため、マルチドメイン構造の画素の場合、シングルドメイン構造の画素の場合以上に偏光サングラス対策が困難であった。
本発明は、前記従来技術の問題点を解決するためになされたものであり、本発明の目的は、液晶表示装置において、偏光サングラス対策等のために、観察者側の偏光膜の吸収軸を任意の方向に設定可能な技術を提供することにある。
本発明の前記ならびにその他の目的と新規な特徴は、本明細書の記述及び添付図面によって明らかにする。
【課題を解決するための手段】
【０００７】
本願において開示される発明のうち、代表的なものの概要を簡単に説明すれば、下記の通りである。
（１）第１基板と、前記第１基板よりも観察者側に配置される第２基板と、前記第１基板と前記第２基板との間に挟持されるポジ型液晶とを有する液晶表示パネルを備え、前記液晶表示パネルは、表示領域内に複数のサブピクセルを有し、前記複数のサブピクセルの各サブピクセルは、前記第１基板上に形成された第１電極と、前記第１基板上に形成された第２電極とを有し、前記第１電極と前記第２電極との間の電位差によって電界を発生させて前記液晶を駆動する液晶表示装置であって、前記第１基板は、前記液晶側の面に配置される第１配向膜と、前記各サブピクセルに映像信号を入力する複数の映像線と、前記液晶と反対側の面に配置される第１偏光膜とを有し、前記第２基板は、前記液晶側の面に配置される第２配向膜と、前記液晶と反対側の面に配置される第２偏光膜とを有し、前記第１電極は、前記各サブピクセルの長辺と短辺とのうち長辺方向に延在する線状部分を有し、１サブピクセル内では、前記第１電極の前記線状部分の延在方向は１つであり、前記映像線は、局所的に屈曲しながら全体として前記液晶表示パネルの前記表示領域の任意の一辺に沿った第１の方向に延在し、前記第１の方向を基準方向とし、前記基準方向と前記映像線の局所的な延在方向との交差角の中で狭い方の角度をθ１、前記基準方向と前記第１電極の前記線状部分の延在方向との交差角の中で狭い方の角度をθ２、前記基準方向と前記第２配向膜の配向軸との交差角の中で狭い方の角度をθ３、前記基準方向と前記第２偏光膜の吸収軸との交差角の中で狭い方の角度をθ４とし、θ１、θ２、θ３、θ４を前記基準方向から時計回りを正方向として−９０°〜＋９０°の範囲で測ったとき、１つのサブピクセルの中で、θ１、θ２、θ３の符号が全て同じであり、かつ、全てのサブピクセルにおいて、θ１の符号が同じであり、かつ、全てのサブピクセルにおいて、下記（１）ないし（５）式を満足する。
（１）１０°≦｜θ１｜≦｜θ３｜、１０°≦｜θ２｜≦｜θ３｜
（２）０°≦｜θ３−θ２｜≦２０°
（３）０°≦｜θ１−θ２｜≦２°
（４）１０°≦｜θ３｜≦８０°
（５）０°≦｜θ３−θ４｜≦２°、あるいは、８８°≦｜θ３−θ４｜≦９２°
【０００８】
（２）（１）において、前記θ３は、３０°≦｜θ３｜≦６０°を満足する。
（３）（１）または（２）において、前記基準方向と前記第１配向膜の配向軸との交差角の中で狭い方の角度をθ５、前記基準方向と前記第１偏光膜の吸収軸との交差角の中で狭い方の角度をθ６とし、θ５、θ６を前記基準方向から時計回りを正方向として−９０°〜＋９０°の範囲で測ったとき、０°≦｜θ３−θ５｜≦２°、８９°≦｜θ４−θ６｜≦９１°を満足する。
【０００９】
（４）第１基板と、前記第１基板よりも観察者側に配置される第２基板と、前記第１基板と前記第２基板との間に挟持されるネガ型液晶とを有する液晶表示パネルを備え、前記液晶表示パネルは、表示領域内に複数のサブピクセルを有し、前記複数のサブピクセルの各サブピクセルは、前記第１基板上に形成された第１電極と、前記第１基板上に形成された第２電極とを有し、前記第１電極と前記第２電極との間の電位差によって電界を発生させて前記液晶を駆動する液晶表示装置であって、前記第１基板は、前記液晶側の面に配置される第１配向膜と、前記各サブピクセルに映像信号を入力する複数の映像線と、前記液晶と反対側の面に配置される第１偏光膜とを有し、前記第２基板は、前記液晶側の面に配置される第２配向膜と、前記液晶と反対側の面に配置される第２偏光膜とを有し、前記第１電極は、前記各サブピクセルの長辺と短辺とのうち長辺方向に延在する線状部分を有し、１サブピクセル内では、前記第１電極の前記線状部分の延在方向は１つであり、前記映像線は、局所的に屈曲しながら全体として前記液晶表示パネルの前記表示領域の任意の一辺に沿った第１の方向に延在し、前記第１の方向を基準方向とし、前記基準方向と前記映像線の局所的な延在方向との交差角の中で狭い方の角度をθ１、前記基準方向と前記第１電極の前記線状部分の延在方向との交差角の中で狭い方の角度をθ２、前記基準方向と前記第２配向膜の配向軸に直交する方向との交差角の中で狭い方の角度をΘ３、前記基準方向と前記第２偏光膜の吸収軸との交差角の中で狭い方の角度をθ４とし、θ１、θ２、Θ３、θ４を前記基準方向から時計回りを正方向として−９０°〜＋９０°の範囲で測ったとき、１つのサブピクセルの中で、θ１、θ２、Θ３の符号が全て同じであり、かつ、全てのサブピクセルにおいて、θ１の符号が同じであり、かつ、全てのサブピクセルにおいて、下記（１）ないし（５）式を満足する。
（１）１０°≦｜θ１｜≦｜Θ３｜、１０°≦｜θ２｜≦｜Θ３｜
（２）０°≦｜Θ３−θ２｜≦２０°
（３）０°≦｜θ１−θ２｜≦２°
（４）１０°≦｜Θ３｜≦８０°
（５）０°≦｜Θ３−θ４｜≦２°、あるいは、８８°≦|Θ３−θ４｜≦９２°
【００１０】
（５）（４）において、前記Θ３は、３０°≦｜Θ３｜≦６０°を満足する。
（６）（４）または（５）において、前記基準方向と前記第１配向膜の配向軸に直交する方向との交差角の中で狭い方の角度をΘ５、
前記基準方向と前記第１偏光膜の吸収軸との交差角の中で狭い方の角度をθ６とし、
Θ５、θ６を前記基準方向から時計回りを正方向として−９０°〜＋９０°の範囲で測ったとき、０°≦｜Θ３−Θ５｜≦２°、８９°≦｜θ４−θ６｜≦９１°を満足する。
（７）（１）ないし（６）の何れかにおいて、前記θ１は、１０°≦｜θ１｜≦４５°を満足する。
（８）（７）において、前記θ１は、１０°≦｜θ１｜≦３０°を満足する。
（９）（１）ないし（６）の何れかにおいて、前記複数のサブピクセルの配置は、デルタ配置であり、前記θ１は、１０°≦｜θ１｜≦１５°を満足する。
（１０）（１）ないし（９）の何れかにおいて、前記第１基板は、前記各サブピクセルに走査信号を入力する複数の走査線を有し、前記走査線は、前記第１の方向に交差する第２の方向に延在し、前記基準方向と前記複数の走査線の各走査線の延在方向との交差角の中で狭い方の角度をθ７とするとき、８８°≦｜θ７｜≦９０°を満足する。
（１１）（１）ないし（９）の何れかにおいて、前記第１基板は、前記各サブピクセルに走査信号を入力する複数の走査線を有し、前記走査線は、局所的に屈曲しながら全体として前記第１の方向に交差する第２の方向に延在し、前記基準方向と前記走査線の局所的な延在方向との交差角の中で狭い方の角度をθ７とするとき、４５°≦｜θ７｜≦９０°を満足する。
【００１１】
（１２）第１基板と、前記第１基板よりも観察者側に配置される第２基板と、前記第１基板と前記第２基板との間に挟持されるポジ型液晶とを有する液晶表示パネルを備え、前記液晶表示パネルは、表示領域内に複数のサブピクセルを有し、前記複数のサブピクセルの各サブピクセルは、前記第１基板上に形成された第１電極と、前記第１基板上に形成された第２電極とを有し、前記第１電極と前記第２電極の間の電位差とによって電界を発生させて前記液晶を駆動する液晶表示装置であって、前記第１基板は、前記液晶側の面に配置される第１配向膜と、前記各サブピクセルに走査信号を入力する複数の走査線と、前記液晶と反対側の面に配置される第１偏光膜とを有し、前記第２基板は、前記液晶側の面に配置される第２配向膜と、前記液晶と反対側の面に配置される第２偏光膜とを有し、前記第１電極は、前記各サブピクセルの長辺と短辺とのうち短辺方向に延在する線状部分を有し、１サブピクセル内では、前記第１電極の前記線状部分の延在方向は１つであり、前記走査線は、局所的に屈曲しながら全体として前記液晶表示パネルの前記表示領域の任意の一辺に沿った第１の方向に延在し、前記第１の方向を基準方向とし、前記基準方向と前記走査線の局所的な延在方向との交差角の中で狭い方の角度をφ１、前記基準方向と前記第１電極の前記線状部分の延在方向との交差角の中で狭い方の角度をφ２、前記基準方向と前記第２配向膜の配向軸との交差角の中で狭い方の角度をφ３、前記基準方向と前記第２偏光膜の吸収軸との交差角の中で狭い方の角度をφ４とし、φ１、φ２、φ３、φ４を前記基準方向から時計回りを正方向として−９０°〜＋９０°の範囲で測ったとき、１つのサブピクセルの中で、φ１、φ２、φ３の符号が全て同じであり、かつ、全てのサブピクセルにおいて、φ１の符号が同じであり、かつ、全てのサブピクセルにおいて、下記（１）ないし（５）式を満足する。
（１）１０°≦｜φ１｜≦｜φ３｜、１０°≦｜φ２｜≦｜φ３｜
（２）０°≦｜φ３−φ２｜≦２０°
（３）０°≦｜φ１−φ２｜≦２°
（４）１０°≦｜φ３｜≦８０°
（５）０°≦｜φ３−φ４｜≦２°、あるいは、８８°≦｜φ３−φ４｜≦９２°
【００１２】
（１３）（１２）において、前記φ３は、３０°≦｜φ３｜≦６０°を満足する。
（１４）（１２）または（１３）において、前記基準方向と前記第１配向膜の配向軸との交差角の中で狭い方の角度をφ５、前記基準方向と前記第１偏光膜の吸収軸との交差角の中で狭い方の角度をφ６とし、θ５、θ６を前記基準方向から時計回りを正方向として−９０°〜＋９０°の範囲で測ったとき、０°≦｜φ３−φ５｜≦２°、８９°≦｜φ４−φ６｜≦９１°を満足する。
【００１３】
（１５）第１基板と、前記第１基板よりも観察者側に配置される第２基板と、前記第１基板と前記第２基板との間に挟持されるネガ型液晶とを有する液晶表示パネルを備え、前記液晶表示パネルは、表示領域内に複数のサブピクセルを有し、前記複数のサブピクセルの各サブピクセルは、前記第１基板上に形成された第１電極と、前記第１基板上に形成された第２電極とを有し、前記第１電極と前記第２電極との間の電位差によって電界を発生させて前記液晶を駆動する液晶表示装置であって、前記第１基板は、前記液晶側の面に配置される第１配向膜と、前記各サブピクセルに走査信号を入力する複数の走査線と、前記液晶と反対側の面に配置される第１偏光膜とを有し、前記第２基板は、前記液晶側の面に配置される第２配向膜と、前記液晶と反対側の面に配置される第２偏光膜とを有し、前記第１電極は、前記各サブピクセルの長辺と短辺とのうち短辺方向に延在する線状部分を有し、１サブピクセル内では、前記第１電極の前記線状部分の延在方向は１つであり、前記走査線は、局所的に屈曲しながら全体として前記液晶表示パネルの前記表示領域の任意の一辺に沿った第１の方向に延在し、前記第１の方向を基準方向とし、前記基準方向と前記走査線の局所的な延在方向との交差角の中で狭い方の角度をφ１、前記基準方向と前記第１電極の前記線状部分の延在方向との交差角の中で狭い方の角度をφ２、前記基準方向と前記第２配向膜の配向軸に直交する方向との交差角の中で狭い方の角度をΦ３、前記基準方向と前記第２偏光膜の吸収軸との交差角の中で狭い方の角度をφ４とし、φ１、φ２、Φ３、φ４を前記基準方向から時計回りを正方向として−９０°〜＋９０°の範囲で測ったとき、１つのサブピクセルの中で、φ１、φ２、Φ３の符号が全て同じであり、かつ、全てのサブピクセルにおいて、φ１の符号が同じであり、かつ、全てのサブピクセルにおいて、下記（１）ないし（５）式を満足する。
（１）１０°≦｜φ１｜≦｜Φ３｜、１０°≦｜φ２｜≦｜Φ３｜
（２）０°≦｜Φ３−φ２｜≦２０°
（３）０°≦｜φ１−φ２｜≦２°
（４）１０°≦｜Φ３｜≦８０°
（５）０°≦｜Φ３−φ４｜≦２°、あるいは、８８°≦|Φ３−φ４｜≦９２°
【００１４】
（１６）（１５）において、前記Φ３は、３０°≦｜Φ３｜≦６０°を満足する。
（１７）（１５）または（１６）において、前記基準方向と前記第１配向膜の配向軸に直交する方向との交差角の中で狭い方の角度をΦ５、前記基準方向と前記第１偏光膜の吸収軸との交差角の中で狭い方の角度をφ６とし、Φ５、φ６を前記基準方向から時計回りを正方向として−９０°〜＋９０°の範囲で測ったとき、０°≦｜Φ３−Φ５｜≦２°、８９°≦｜φ４−φ６｜≦９１°を満足する。
（１８）（１２）ないし（１７）の何れかにおいて、前記φ１は、１０°≦｜φ１｜≦４５°を満足する。
（１９）（１８）において、前記φ１は、１０°≦｜φ１｜≦３０°を満足する。
（２０）（１２）ないし（１９）の何れかにおいて、前記第１基板は、前記各サブピクセルに映像信号を入力する複数の映像線を有し、前記映像線は、前記第１の方向に交差する第２の方向に延在し、前記基準方向と前記複数の映像線の各映像線の延在方向との交差角の中で狭い方の角度をφ７とするとき、８８°≦｜φ７｜≦９０°を満足する。
（２１）（１２）ないし（１９）の何れかにおいて、前記第１基板は、前記各サブピクセルに映像信号を入力する複数の映像線を有し、前記映像線は、局所的に屈曲しながら全体として前記第１の方向に交差する第２の方向に延在し、前記基準方向と前記映像線の局所的な延在方向との交差角の中で狭い方の角度をφ７とするとき、４５°≦｜φ７｜≦９０°を満足する。
（２２）（１）ないし（２１）の何れかにおいて、前記第２電極は、線状部分を有し、前記第１電極との非重畳部分を有する電極である。
（２３）（１）ないし（２１）の何れかにおいて、前記第２電極は、絶縁膜を介して前記第１電極の下層に配置され、前記第１電極と重畳する面状の電極である。
（２４）（１）ないし（２３）の何れかにおいて、前記第１電極は、画素電極であり、前記第２電極は、対向電極である。
（２５）（１）ないし（２３）の何れかにおいて、前記第１電極は、対向電極であり、前記第２電極は、画素電極である。
【００１５】
本願において開示される発明のうち代表的なものによって得られる効果を簡単に説明すれば、下記の通りである。
本発明の液晶表示装置によれば、観察者側の偏光膜の吸収軸を任意の方向に設定可能であり、観察者が偏光サングラスを掛けている場合でも画像が見えなくなるのを防止することが可能となる。
【発明を実施するための最良の形態】
【００１６】
以下、図面を参照して本発明の実施例を詳細に説明する。
なお、実施例を説明するための全図において、同一機能を有するものは同一符号を付け、その繰り返しの説明は省略する。
［実施例１］
図１は、本発明の実施例１の液晶表示パネルの画素配列を示す模式図である。なお、本実施例の液晶表示パネルと対比する意味で、従来の液晶表示パネルの画素配列を図１９に示す。
図１９に示す従来の液晶表示パネルでは、表示領域（ＡＲ）内に、矩形形状のサブピクセル１０が、縦・横方向に配列されているのに対して、本実施例の液晶表示パネルでは、平行四辺形形状のサブピクセル１０が、縦・横方向に配列される。
図２は、本実施例１の液晶表示パネルの電極構造を説明するための模式平面図である。図２に示すように、本実施例では、シングルドメイン構造の画素であるため、１サブピクセル内では、画素電極（ＰＸ）の線状部分の延在方向は１つである。そして、画素電極（ＰＸ）の線状部分は、図１４に示した従来の構造とは異なり、図の上下方向に対して傾斜している。さらに、画素電極（ＰＸ）の線状部分の傾斜に対応して、映像線（ＤＬ）も傾斜させる。さらに、画素配列の直線性を保つために、映像線（ＤＬ）は折り返し部（ＤＬａ）を有し、当該折り返し部（ＤＬａ）と傾斜している部分とで、映像線（ＤＬ）は、『７』の数字の形状となっている。なお、図２において、ａ−Ｓｉは半導体層、ＣＨは、ソース電極として機能する導電層（ＳＤ）と画素電極（ＰＸ）とを接続するためのコンタクトホールであり、ＣＨＫは、対向電極に形成された開口部である。尚、対向電極は開口部（ＣＨＫ）を除いて映像線（ＤＬ）等をも覆うように画素電極（ＰＸ）よりも下層にほぼ全域に面状に形成されているが、図２では図示を省略した。
ここで、映像線（ＤＬ）は、部分的に傾いたり、屈曲しながら、すなわち、局所的に屈曲しながら映像線（ＤＬ）全体として見れば、第１の方向（表示領域（ＡＲ）の短辺１１−１に沿った方向）に延在する。また、走査線（ＧＬ）は、第２の方向（表示領域（ＡＲ）の長辺１１−２に沿った方向）に延在する。
【００１７】
図３は、本実施例の液晶表示装置の１サブピクセルの概略断面構造を示す要部断面図である。なお、図３は、図２のＡ−Ａ’切断線に沿った断面構造を示す断面図である。
本実施例の液晶表示装置では、ポジ型液晶からなる液晶層（ＬＣ）を挟んで、第１基板（ＳＵＢ１；ＴＦＴ基板ともいう。）と、第２基板（ＳＵＢ２；対向基板ともいう。）とが設けられる。本実施例の液晶表示装置では、第２基板（ＳＵＢ２）の主表面側が観察側となっている。
図３に示すように、第１基板（ＳＵＢ１）の液晶層側には、第１基板（ＳＵＢ１）から液晶層（ＬＣ）に向かって順に、走査線（ゲート線ともいう）（ＧＬ）、ゲート絶縁膜（ＧＩ）、半導体層（ａ−Ｓｉ）、映像線（ドレイン線ともいう）（ＤＬ）およびソース電極として機能する導電層（ＳＤ）、層間絶縁膜（ＰＡＳ３）、層間絶縁膜（ＰＡＳ２）、対向電極（ＣＴ；共通電極ともいう）、層間絶縁膜（ＰＡＳ１）、画素電極（ＰＸ）、第１配向膜（ＡＬ１）が形成される。なお、第１基板（ＳＵＢ１）の外側には第１偏光膜（ＰＯＬ１）が配置される。
また、走査線（ＧＬ）の一部（ゲート電極）、ゲート絶縁膜（ＧＩ）、半導体層（ａ−Ｓｉ）、映像線（ＤＬ）の一部（ドレイン電極）および導電層（ソース電極）（ＳＤ）で薄膜トランジスタ（ＴＦＴ）を構成する。
第２基板（ＳＵＢ２）の液晶層側には、第２基板（ＳＵＢ２）から液晶層（ＬＣ）に向かって順に、ブラックマトリクス（遮光膜）（ＢＭ）、赤・緑・青のカラーフィルタ（ＦＩＲ）、平坦化膜（ＯＣ）、第２配向膜（ＡＬ２）が形成される。なお、第２基板（ＳＵＢ２）の外側には第２偏光膜（ＰＯＬ２）が配置される。
【００１８】
また、本実施例の電極構造は、前述の図１４に示す電極構造であり、対向電極（ＣＴ）は面状に形成され、画素電極（ＰＸ）は、複数のスリット（ＳＬＴ）を有する電極とされる。画素電極（ＰＸ）のスリット（ＳＬＴ）で分割された部分が、線状部分（櫛歯電極）（ＫＳＢ）となる。尚、図２ではスリット（ＳＬＴ）の両端が閉じているが、スリット（ＳＬＴ）の一端が開放されていても良い。
一般に、画素電極（ＰＸ）および対向電極（ＣＴ）は、例えば、ＩＴＯ（Indium Tin Oxide）等の透明導電膜で構成される。さらに、画素電極（ＰＸ）と対向電極（ＣＴ）とが、層間絶縁膜（ＰＡＳ１）を介して重畳しており、これによって保持容量を形成している。なお、層間絶縁膜（ＰＡＳ１）は、１層に限定されず、２層以上であっても良い。
また、図２に示すように、走査線（ＧＬ）と、映像線（ＤＬ）とで囲まれる平行四辺形形状の領域内に、１サブピクセルが形成される。この１サブピクセルが形成される領域は、第２基板（ＳＵＢ２）側に形成されるブラックマトリクス（ＢＭ）によって遮光されることから、実質的な１サブピクセルが形成される領域として機能する領域（ＰＴ）は、ブラックマトリックス（ＢＭ）の開口部（図２において太線で示している）となる。
本実施例の液晶表示装置では、線状部分を有する画素電極（ＰＸ）と面状の対向電極（ＣＴ）とが、層間絶縁膜（ＰＡＳ１）を介して積層されており、画素電極（ＰＸ）と対向電極（ＣＴ）との間に形成されるアーチ状の電気力線が液晶層（ＬＣ）を貫くように分布することにより液晶層（ＬＣ）を配向変化させる。すなわち、画素電極（ＰＸ）と対向電極（ＣＴ）とがともに同じ基板上に形成され、画素電極（ＰＸ）と対向電極（ＣＴ）との間の電位差によって電界を発生させて液晶を駆動する。
【００１９】
［本発明の前提となる技術事項］
本発明の液晶表示パネルでは、偏光膜の吸収軸、および配向膜の配向軸等は、以下の関係を満たすことが前提となっている。
（Ｉ−１）第２偏光膜（ＰＯＬ２）の吸収軸と、第１偏光膜（ＰＯＬ１）の吸収軸とが、誤差±１°の範囲内で直交する。
（Ｉ−２）第２配向膜（ＡＬ２）の配向軸と、第１配向膜（ＡＬ１）の配向軸とが、誤差±２°の範囲内で平行とされる。
（Ｉ−３）第２偏光膜（ＰＯＬ２）の吸収軸と、第２配向膜（ＡＬ２）の配向軸とが、誤差±２°の範囲内で、平行あるいは直交する。
（Ｉ−４）画素電極（ＰＸ）の線状部分は、第２配向膜（ＡＬ２）の配向軸に対して、プレツイスト角の角度だけ傾斜して延在し、このプレツイスト角の絶対値は、ポジ型液晶の場合０°〜２０°（望ましくは、５°〜１５°）、ネガ型液晶の場合は７０°〜９０°（望ましくは、７５°〜８５°）である。
この前提条件の基に、第２偏光膜（ＰＯＬ２）の吸収軸を、０°、９０°から１０°以上外れた角度である１０°〜８０°、または−１０°〜−８０°、望ましくは、３０°以上外れた角度である３０°〜６０°、または−３０°〜−６０°にするためには、画素電極（ＰＸ）の線状部分のみを傾斜させることが想定される。この場合の電極構造を図１８に示す。
なお、０°は、映像線（ＤＬ）の延在方向、また、９０°は、映像線（ＤＬ）の延在方向に直交する方向であり、角度は、０°から時計回りに測定した角度である。また、図１８は、本発明の参考例の電極構造を示す図である。
この図１８の電極構造では、画素電極（ＰＸ）の線状部分（ＫＳＢ）の延在方向が、映像線（ＤＬ）の延在方向、あるいは走査線（ＧＬ）の延在方向と異なる角度となるため、１つのサブピクセル内で、映像線（ＤＬ）の両脇の部分において、液晶を駆動するための電界が一様でなくなり、不要電界による無効領域（図１８の点線で囲ったＡに示す領域）が増加し、透過率低下等の問題を引き起こしやすいという問題がある。
【００２０】
以下、本実施例の液晶表示パネルにおける、画素電極（ＰＸ）の線状部分と、第１および第２配向膜の配向軸との関係について、図４を用いて説明する。なお、図４のｙ軸方向が、第１の方向（ｙ）（表示領域（ＡＲ）の短辺１１−１に沿った方向）、ｘ軸が、第２の方向（ｘ）（表示領域（ＡＲ）の長辺１１−２に沿った方向）である。
本実施例では、次のような関係を満たす。尚、第１の方向（ｙ）を基準方向とし、基準方向から角度を測るときは、基準方向から時計回りを正方向として−９０°〜＋９０°の範囲で測ることとする。
（II−１）第１の方向（ｙ）と、第２偏光膜（ＰＯＬ２）の吸収軸（図４のＡ）との交差角の中で狭い方の角度で、第１の方向（ｙ）から時計回りに測定した角度をθ４とするとき、｜θ４｜を、１０°〜８０°、望ましくは、３０°〜６０°の範囲に設定する。尚、図４では、θ４を正方向に設定した場合を示している。
（II−２）（II−１）かつ（Ｉ−３）の条件により、第１の方向（ｙ）と、第２配向膜（ＡＬ２）の配向軸（図４のＢ）との交差角の中で狭い方の角度で、第１の方向（ｙ）から時計回りに測定した角度をθ３とするとき、第２配向膜（ＡＬ２）の配向軸が第２偏光膜（ＰＯＬ２）の吸収軸と略平行または略直交（但し、誤差±２°以内）であるので、｜θ３｜を、１０°〜８０°、望ましくは、３０°〜６０°の範囲に設定する（便宜的に誤差は無視している）。尚、図４では、両者を平行に設定した場合を示している。
なお、第２配向膜（ＡＬ２）の配向軸が第２偏光膜（ＰＯＬ２）の吸収軸と略平行（但し、誤差±２°以内）とは、０°≦｜θ３−θ４｜≦２°を満足することを意味し、第２配向膜（ＡＬ２）の配向軸と第２偏光膜（ＰＯＬ２）の吸収軸とが直交（但し、誤差±２°以内）するとは、８８°≦｜θ３−θ４｜≦９２°を満足することを意味する。
【００２１】
（II−３）第１の方向（ｙ）と、画素電極（ＰＸ）の線状部分の延在方向（図４のＤ）との交差角の中で狭い方向の角度で、第１の方向（ｙ）から時計回りで測定した角度をθ２とするとき、θ２は（Ｉ−４）の条件であるプレツイスト角を満たす角度とする。そのために、θ２とθ３の符号（正または負）をともに同じ（図４の場合だとともに正）に設定する。これにより、プレツイスト角を−２０°〜２０°の範囲とすれば、０°≦｜θ３−θ２｜≦２０°となる。このとき、（Ｉ−４）の条件を満たす関係としては、｜θ３｜≦｜θ２｜、｜θ２｜≦｜θ３｜の２つの場合が考えられるが、｜θ２｜≦｜θ３｜とすることにより、あまり、｜θ２｜を大きくしなくても｜θ３｜をプレツイスト角の絶対値以上の大きな値に設定できる。したがって、図４では、｜θ２｜≦｜θ３｜に設定している。尚、｜θ２｜が小さすぎると従来の構成と変わらなくなってしまうので、１０°≦｜θ２｜に設定する。
（II−４）図１８の無効領域の問題により、映像線（ＤＬ）を、画素電極（ＰＸ）の線状部分の延在方向と、±２°の誤差の範囲内で平行となるように局所的に傾ける。
即ち、第１の方向（ｙ）と映像線（ＤＬ）の局所的な延在方向（図のＦ）との交差角の中で狭い方の角度で、第１の方向（ｙ）から時計回りに測定した角度をθ１とするとき、θ１とθ２の符号（正または負）をともに同じ（図４の場合だとともに正）に設定し、かつ、０°≦｜θ１−θ２｜≦２°とする。（II−３）により、１０°≦｜θ２｜なので、同様に、１０°≦｜θ１｜に設定する。但し、あまり傾けるとレイアウト上で無駄が発生するので、望ましくは、１０°≦｜θ１｜≦４５°、さらに望ましくは、１０°≦｜θ１｜≦３０°とする。
（II−５）（II−３）および（II−４）により、１つのサブピクセルの中で、θ１、θ２、θ３の符号が全て同じになる。さらに、以上の構成を、全てのサブピクセルについて成り立たせるために、θ１の符号（θ１の回転方向）をすべてのサブピクセルで同じにする。
したがって、サブピクセルの構造としては、前述したように、サブピクセルを傾けて平行四辺形にし、かつ、全てのサブピクセルにおいて同じ方向に（即ち、全て右側、あるいは、全て左側に）傾くことになる。
【００２２】
また、第１の方向（ｙ）と、第１配向膜（ＡＬ１）の配向軸（図４のＣ）との交差角の中で狭い方の角度で、第１の方向（ｙ）から時計回りに測定した角度をθ５、第１の方向（ｙ）と、第１偏光膜（ＰＯＬ１）の吸収軸（図４のＥ）との交差角の中で狭い方の角度で、第１の方向（ｙ）から時計回りに測定した角度をθ６とするとき、前述の（Ｉ−１）、（Ｉ−２）の条件より、０°≦｜θ３−θ５｜≦２°、８９°≦｜θ４−θ６｜≦９１°を満足する。尚、図４の場合は、θ４の値が正なので、θ６の値は負になる。
尚、第２配向膜（ＡＬ２）の配向軸が第２偏光膜（ＰＯＬ２）の吸収軸に略直交（但し、誤差±２°以内）する場合、図４において、ＡとＥを入れ替えればよいだけであり、上述した関係はそのまま成り立つ。その場合、θ４の値は負、θ６の値は正になる。
なお、図５に示すように、画素の傾きの方向を図４の場合と逆にしてもよい。基準方向から反時計回りに角度を測った場合は負の値と定義しているので、この場合も、θ１、θ２、θ３は全て同じ符号（すべて負）になるとともに、これまでに説明したθ１〜θ６の関係式が成り立つ。さらに、図５では、第２配向膜（ＡＬ２）の配向軸（図５のＢ）が第２偏光膜（ＰＯＬ２）の吸収軸（図５のＡ）に略直交（但し、誤差±２°以内）する場合について図示している。もちろん、第２配向膜（ＡＬ２）の配向軸（図５のＢ）が第２偏光膜（ＰＯＬ２）の吸収軸（図５のＡ）と略平行（但し、誤差±２°以内）な場合は、図５においてＡとＥを入れ替えればよいだけである。
したがって、第１の方向（ｙ）から時計回り方向を正方向とし、−９０°〜＋９０°の範囲で測るとすると、θ１〜θ６は、下記（１）式のように一般化できる。
［数１］
（１）１０°≦｜θ１｜≦｜θ３｜、１０°≦｜θ２｜≦｜θ３｜
（２）０°≦｜θ３−θ２｜≦２０°
（３）０°≦｜θ１−θ２｜≦２°
（４）１０°≦｜θ３｜≦８０°（望ましくは、３０°≦｜θ３｜≦６０°）
（５）０°≦｜θ３−θ４｜≦２°、あるいは、８８°≦｜θ３−θ４｜≦９２°
（６）０°≦｜θ３−θ５｜≦２°
（７）８９°≦｜θ４−θ６｜≦９１°
・・・・・・・・・・・・・・・・・・・・  （１）
また、１つのサブピクセルの中で、θ１、θ２、θ３の符号が全て同じである。さらに、全てのサブピクセルにおいて、θ１の符号が同じである。
【００２３】
図６に、本実施例の液晶表示パネルにおける、第２偏光膜（ＰＯＬ２）の吸収軸、第２配向膜（ＡＬ２）の配向軸、画素電極（ＰＸ）の線状部分の延在方向、第１配向膜（ＡＬ１）の配向軸、および第１偏光膜（ＰＯＬ１）の吸収軸の関係の一例を示す。尚、図６に示した例は、図４、図５に示した例とは数値は同じではないが、本実施例で説明した条件を満たした数値範囲となっている。
また、図１６に、従来のＩＰＳ方式の液晶表示パネルにおける、第２偏光膜（ＰＯＬ２）の吸収軸、第２配向膜（ＡＬ２）の配向軸、画素電極（ＰＸ）の線状部分の延在方向、第１配向膜（ＡＬ１）の配向軸、および第１偏光膜（ＰＯＬ１）の吸収軸の関係の一例を示す。
図６、図１６は、前述の図１５に示す電極構造を採用した液晶表示パネルにおける、第２偏光膜（ＰＯＬ２）の吸収軸、第２配向膜（ＡＬ２）の配向軸、画素電極（ＰＸ）の線状部分の延在方向、第１配向膜（ＡＬ１）の配向軸、および第１偏光膜（ＰＯＬ１）の吸収軸の関係を示す。但し、図６の場合は、図４または図５に準じてサブピクセルを傾けた構成になっている。
図６、図１６、および後述する図７、図１７において、Ａは第２偏光膜（ＰＯＬ２）の吸収軸、Ｂは第２配向膜（ＡＬ２）の配向軸、Ｃは第１配向膜（ＡＬ１）の配向軸、Ｄは画素電極（ＰＸ）の線状部分の延在方向、Ｅは第１偏光膜（ＰＯＬ１）の吸収軸を示す。
図１６に示す例では、プレツイスト角の絶対値は１５°に設定してある。そして、第１の方向（ｙ）から第２偏光膜（ＰＯＬ２）の吸収軸まで時計回りに測定した角度は−７５°となっているが、画素電極（ＰＸ）の線状部分の延在方向は０°となっている。したがって、偏光サングラス対策に寄与する傾きの大きさ（０°は効果なしで４５°で効果最大）は１５°である。
これに対して、図６に示す例では、プレツイスト角の絶対値は１５°に設定してあるので、図１６と同じであるにもかかわらず、第１の方向（ｙ）から第２偏光膜（ＰＯＬ２）の吸収軸まで時計回りに測定した角度は−３０°であり、しかも、第１の方向（ｙ）から画素電極（ＰＸ）の線状部分の延在方向まで時計回りに測定した角度が−１５°となっている。したがって、偏光サングラス対策に寄与する傾きの大きさは３０°となり、プレツイスト角の絶対値が同じであるにもかかわらず、図１６の場合よりも効果が大きい。
【００２４】
図７に、本実施例の液晶表示パネルにおける、第２偏光膜（ＰＯＬ２）の吸収軸、第２配向膜（ＡＬ２）の配向軸、画素電極（ＰＸ）の線状部分の延在方向、第１配向膜（ＡＬ１）の配向軸、および第１偏光膜（ＰＯＬ１）の吸収軸の関係の他の例を示す。尚、図６に示した例は、図４、図５に示した例とは数値は同じではないが、本実施例で説明した条件を満たした数値範囲となっている。
また、図１７に、従来のＩＰＳ方式の液晶表示パネルにおける、第２偏光膜（ＰＯＬ２）の吸収軸、第２配向膜（ＡＬ２）の配向軸、画素電極（ＰＸ）の線状部分の延在方向、第１配向膜（ＡＬ１）の配向軸、および第１偏光膜（ＰＯＬ１）の吸収軸の関係の他の例を示す。
図７、図１７は、前述の図１４に示す電極構造を採用した液晶表示パネルにおける、第２偏光膜（ＰＯＬ２）の吸収軸、第２配向膜（ＡＬ２）の配向軸、画素電極（ＰＸ）の線状部分の延在方向、第１配向膜（ＡＬ１）の配向軸、および第１偏光膜（ＰＯＬ１）の吸収軸の関係を示す。但し、図７の場合は、図４または図５に準じてサブピクセルを傾けた構成になっている。
図１７に示す例では、プレツイスト角の絶対値は１０°に設定してある。そして、第１の方向（ｙ）から第２偏光膜（ＰＯＬ２）の吸収軸まで時計回りに測定した角度は−８０°となっているが、画素電極（ＰＸ）の線状部分の延在方向は０°となっている。したがって、偏光サングラス対策に寄与する傾きの大きさは１０°である。
これに対して、図７に示す例では、プレツイスト角の絶対値は１０°に設定してあるので、図１７と同じであるにもかかわらず、第１の方向（ｙ）から第２偏光膜（ＰＯＬ２）の吸収軸まで時計回りに測定した角度は−３０°であり、しかも、第１の方向（ｙ）から画素電極（ＰＸ）の線状部分の延在方向まで時計回りに測定した角度が−２０°となっている。したがって、偏光サングラス対策に寄与する傾きの大きさは３０°となり、プレツイスト角の絶対値が同じであるにもかかわらず、図１７の場合よりも効果が大きい。
このように、本実施例の液晶表示パネルは、映像線（ＤＬ）および画素電極（ＰＸ）の線状部分の延在方向が、第１の方向（ｙ）に対して傾斜している点で、従来の液晶表示パネルと大きく異なっている。
【００２５】
［実施例１の変形例１］
液晶層（ＬＣ）が、ネガ型液晶の場合、θ３の定義を変更すれば、前述の（１）式と同じ関係式が成り立つ。
即ち、ポジ型液晶は、液晶分子の長軸方向が電界方向に回転するのに対して、ネガ型液晶は、液晶分子の長軸方向が電界方向から遠ざかる方向に回転するので、前述のθ３に代えて、図８に示すように、第１の方向（ｙ）と、第２配向膜（ＡＬ２）の配向軸（図８のＢ）に直交する方向（図８のＧ）との交差角の中で狭い方の角度で、時計回りに測定した角度Θ３を使用する。
同様に、前述のθ５に代えて、図８に示すように、第１の方向（ｙ）と、第１配向膜（ＡＬ１）の配向軸（図８のＣ）に直交する方向（図８のＧ）との交差角の中で狭い方の角度で、第１の方向（ｙ）から時計回りに測定した角度Θ５を使用する。
尚、Θ３、Θ５についても、−９０°〜＋９０°の範囲で測る。
したがって、前述の（１）式は、下記（２）式のようになる。
［数２］
（１）１０°≦｜θ１｜≦｜Θ３｜、１０°≦｜θ２｜≦｜Θ３｜
（２）０°≦｜Θ３−θ２｜≦２０°
（３）０°≦｜θ１−θ２｜≦２°
（４）１０°≦｜Θ３｜≦８０°（望ましくは、３０°≦｜Θ３｜≦６０°）
（５）０°≦｜Θ３−θ４｜≦２°、あるいは、８８°≦｜Θ３−θ４｜≦９２°
（６）０°≦｜Θ３−Θ５｜≦２°
（７）８９°≦｜θ４−θ６｜≦９１°
・・・・・・・・・・・・・・・・・・・・  （２）
また、１つのサブピクセルの中で、θ１、θ２、Θ３の符号が全て同じである。さらに、全てのサブピクセルにおいて、θ１の符号が同じである。
【００２６】
［実施例１の変形例２］
図９に示すように、画素配列として、デルタ配列が知られている。デルタ配列の場合、｜θ１｜の角度を大きくすると、斜めに同じ色が連続する領域が表れるので、｜θ１｜≦１５°が望ましい。
また、図２では、走査線（ＧＬ）は、第１の方向（ｙ）と直交（但し、誤差±２°以内）している。即ち、図４に示すように、第１の方向（ｙ）と、走査線（ＧＬ）の延在方向との交差角の中で狭い方の角度で、第１の方向（ｙ）から時計回りに測定した角度をθ７とするとき、８８°≦｜θ７｜≦９０°を満足する。
しかしながら、図２のＢに示す領域では、電界方向が、サブピクセル内の他の領域の電界方向と異なり、不要電界による無効領域が増加し、透過率低下等の問題を引き起こしやすいという問題がある。そのため、図１０に示すように、走査線（ＧＬ）も局所的に傾けるようにしてもよい。この場合、走査線（ＧＬ）は、局所的に屈曲しながら全体として第１の方向（ｙ）に交差する第２の方向（ｘ）に延在（但し、誤差±２°以内）し、第１の方向（ｙ）と、走査線（ＧＬ）の局所的な延在方向との交差角の中で狭い方の角度で、第１の方向（ｙ）から時計回りに測定した角度をθ７とする。そして、θ７は、４５°≦｜θ７｜≦９０°を満足することが望ましい。
【００２７】
［実施例２］
図１１は、発明の実施例２の液晶表示パネルの画素配列を示す模式図である。
前述の実施例では、画素電極（ＰＸ）の線状部分が、各サブピクセルの長辺と短辺とのうち長辺方向に延在する実施例であったが、本実施例は、画素電極（ＰＸ）の線状部分が、各サブピクセルの長辺と短辺とのうち短辺方向に延在する実施例である。
本実施例の液晶表示パネルは、走査線（ＧＬ）を傾斜させた点で、前述の実施例と相異する。したがって、本実施例の表示パネルでも、平行四辺形のサブピクセル１０が、縦・横方向に配列される。
図１２は、本発明の実施例の液晶表示パネルの電極構造を説明するための模式平面図である。
本実施例では、図１２に示すように、シングルドメイン構造の画素であるため、１サブピクセル内では、画素電極（ＰＸ）の線状部分の延在方向は１つである。そして、画素電極（ＰＸ）の線状部分は、図の左右方向に対して傾斜している。さらに、画素電極（ＰＸ）の線状部分の傾斜に対応して、走査線（ＧＬ）も傾斜させるようにしている。さらに、画素配列の直線性を保つために、走査線（ＧＬ）は折り返し部（ＧＬａ）を有し、当該折り返し部（ＧＬａ）と傾斜している部分とで、走査線（ＧＬ）は、『７』の数字の形状となっている。
なお、走査線（ＧＬ）は、部分的に傾いたり、屈曲しながら、すなわち、局所的に屈曲しながら走査線（ＧＬ）全体として見れば、第２の方向（表示領域（ＡＲ）の長辺１１−２に沿った方向）に延在する。また、映像線（ＤＬ）は、第１の方向（表示領域（ＡＲ）の短辺１１−１に沿った方向）に延在している。
図１３は、本実施例の液晶表示パネルにおける、第２偏光膜（ＰＯＬ２）の吸収軸と、第２配向膜（ＡＬ２）の配向軸と、画素電極（ＰＸ）の線状部分の延在方向と、第１配向膜（ＡＬ１）の配向軸と、第１偏光膜（ＰＯＬ１）の吸収軸との関係の一例を示す図である。
本実施例では、図１３に示すように、φ１ないしφ６の角度について、時計回りを正方向として、−９０°〜９０°の範囲で第２の方向（ｘ）から測定すれば、前述の（１）式と同じ関係式が成り立つ。なお、φ１は、第２の方向（ｘ）から走査線（ＧＬ）の局所的な延在方向までの角度となる。
即ち、本実施例では、下記（３）式のように一般化できる。
［数３］
（１）１０°≦｜φ１｜≦｜φ３｜、１０°≦｜φ２｜≦｜φ３｜
（２）０°≦｜φ３−φ２｜≦２０°
（３）０°≦｜φ１−φ２｜≦２°
（４）１０°≦｜φ３｜≦８０°（望ましくは、３０°≦｜φ３｜≦６０°）
（５）０°≦｜φ３−φ４｜≦２°、あるいは、８８°≦｜φ３−φ４｜≦９２°
（６）０°≦｜φ３−φ５｜≦２°
（７）８９°≦｜φ４−φ６｜≦９１°
・・・・・・・・・・・・・・・・・・・・  （３）
また、１つのサブピクセルの中で、φ１、φ２、φ３の符号が全て同じである。さらに、全てのサブピクセルにおいて、φ１の符号が同じである。
【００２８】
［実施例２の変形例１］
液晶層（ＬＣ）が、ネガ型液晶の場合、前述の実施例と同様、φ３に代えて、前述の図８に準じて、第２の方向（ｘ）から第２配向膜（ＡＬ２）の配向軸に直交する方向（図８のＧの方向）までの角度（図示しないΦ３）を使用すればよい。
同様に、前述のφ５に代えて、第２の方向（ｘ）と、第１配向膜（ＡＬ１）の配向軸（図８のＣ）に直交する方向（図８のＧの方向）との交差角の中で狭い方の角度で、第２の方向（ｘ）から時計回りに測定した角度（図示しないΦ５）を使用すればよい。
尚、Φ３、Φ５についても、−９０°〜＋９０°の範囲で測る。
したがって、前述の（３）式は、下記（４）式のように表される。
［数４］
（１）１０°≦｜φ１｜≦｜Φ３｜、１０°≦｜φ２｜≦｜Φ３｜
（２）０°≦｜Φ３−φ２｜≦２０°
（３）０°≦｜φ１−φ２｜≦２°
（４）１０°≦｜Φ３｜≦８０°（望ましくは、３０°≦｜Φ３｜≦６０°）
（５）０°≦｜Φ３−φ４｜≦２°、あるいは、８８°≦|Φ３−φ４｜≦９２°
（６）０°≦｜Φ３−Φ５｜≦２°
（７）８９°≦｜φ４−φ６｜≦９１°
・・・・・・・・・・・・・・・・・・・・  （４）
また、１つのサブピクセルの中で、φ１、φ２、Φ３の符号が全て同じである。さらに、全てのサブピクセルにおいて、φ１の符号が同じである。
【００２９】
［実施例２の変形例２］
本実施例においても、画素配列として、デルタ配列を使用してもよい。
また、図１２では、映像線（ＤＬ）は、第２の方向（ｘ）と直交（但し、誤差±２°以内）している。即ち、図１３に示すように、第２の方向（ｘ）と、映像線（ＤＬ）の延在方向との交差角の中で狭い方の角度で、第２の方向（ｘ）から時計回りに測定した角度をφ７とするとき、８８°≦｜φ７｜≦９０°を満足する。
しかしながら、本実施例においても、映像線（ＤＬ）も局所的に傾けるようにしてもよい。この場合、映像線（ＤＬ）は、局所的に屈曲しながら全体として第２の方向（ｘ）に交差する第１の方向（ｙ）に延在（但し、誤差±２°以内）し、第２の方向（ｘ）と、映像線（ＤＬ）の局所的な延在方向との交差角の中で狭い方の角度で、第２の方向（ｘ）から時計回りに測定した角度をφ７とする。
そして、φ７は、４５°≦｜φ７｜≦９０°を満足することが望ましい。
なお、前述の実施例１、実施例２の説明では、電極構造としては、図１４に示す電極構造を使用した場合について説明したが、電極構造として、図１５に示す電極構造を使用することも可能である。
また、実施例１、実施例２に図１４に示す電極構造を適用する場合において、層間絶縁膜（ＰＡＳ１）の液晶（ＬＣ）側に形成される電極を対向電極（ＣＴ）、層間絶縁膜（ＰＡＳ１）の液晶（ＬＣ）と反対側に形成される電極を画素電極（ＰＸ）としてもよい。この場合には、対向電極（ＣＴ）は、線状部分を有する電極（例えば、複数のスリット（ＳＬＴ）を有する電極）とされ、画素電極（ＰＸ）は面状の電極とされる。
また、図１、図１０、図１１、図１９における１１−１を表示領域（ＡＲ）の長辺、１１−２を表示領域（ＡＲ）の短辺としても良い。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００３０】
【図１】本発明の実施例１の液晶表示パネルの画素配列を示す模式図である。
【図２】本発明の実施例１の液晶表示パネルの電極構造を説明するための模式平面図である。
【図３】本発明の実施例１の液晶表示装置の１サブピクセルの概略断面構造を示す要部断面図である。
【図４】本発明の実施例１の液晶表示パネルにおける、画素電極の線状部分と、第１および第２配向膜の配向軸との関係の一例について説明するための図である。
【図５】本発明の実施例１の液晶表示パネルにおける、画素電極の線状部分と、第１および第２配向膜の配向軸との関係の他の例について説明するための図である。
【図６】本発明の実施例１の液晶表示パネルにおける、第２偏光膜の吸収軸と、第２配向膜の配向軸と、画素電極の線状部分の延在方向と、第１配向膜の配向軸と、第１偏光膜の吸収軸との関係の一例を示す図である。
【図７】本発明の実施例１の液晶表示パネルにおける、第２偏光膜の吸収軸と、第２配向膜の配向軸と、画素電極の線状部分の延在方向と、第１配向膜の配向軸と、第１偏光膜の吸収軸との関係の他の例を示す図である。
【図８】本発明の実施例１の液晶表示パネルにおいて、液晶層がネガ型液晶の場合に、第１の方向から第２配向膜の配向軸に直交する方向までの角度を説明するための図である。
【図９】デルタ配列の画素配列を説明するための図である。
【図１０】本発明の実施例１の液晶表示パネルの画素配列の他の例を示す模式図である。
【図１１】本発明の実施例２の液晶表示パネルの画素配列を示す模式図である。
【図１２】本発明の実施例２の液晶表示パネルの電極構造を説明するための模式平面図である。
【図１３】本発明の実施例２の液晶表示パネルにおける、第２偏光膜の吸収軸と、第２配向膜の配向軸と、画素電極の線状部分の延在方向と、第１配向膜の配向軸と、第１偏光膜の吸収軸との関係の一例を示す図である。
【図１４】従来のＩＰＳ方式の液晶表示パネルの電極構造の一例を説明するための図である。
【図１５】従来のＩＰＳ方式の液晶表示パネルの電極構造の他の例を説明するための平面図である。
【図１６】従来のＩＰＳ方式の液晶表示パネルにおける、第２偏光膜の吸収軸と、第２配向膜の配向軸と、画素電極の線状部分の延在方向と、第１配向膜の配向軸と、第１偏光膜の吸収軸との関係の一例を示す図である。
【図１７】従来のＩＰＳ方式の液晶表示パネルにおける、第２偏光膜の吸収軸と、第２配向膜の配向軸と、画素電極の線状部分の延在方向と、第１配向膜の配向軸と、第１偏光膜の吸収軸との関係の他の例を示す図である。
【図１８】本発明の参考例の液晶表示パネルの電極構造を示す図である。
【図１９】従来の液晶表示パネルの画素配列を示す図である。
【符号の説明】
【００３１】
１０  サブピクセル
１１−１  表示領域の短辺
１１−２  表示領域の長辺
ＡＲ  表示領域
ＬＣ  液晶層
ａ−Ｓｉ  半導体層
ＤＬ  映像線
ＧＬ  走査線
ＤＬａ，ＧＬａ  折り返し部
ＣＨ  コンタクトホール
ＣＨＫ  開口部
ＳＬＴ  スリット
ＫＳＢ  櫛歯電極
ＳＵＢ１，ＳＵＢ２  基板
ＢＭ  ブラックマトリクス
ＰＡＳ１，ＰＡＳ２，ＰＡＳ３  層間絶縁膜
ＧＩ  ゲート絶縁膜
ＰＸ  画素電極
ＣＴ  対向電極
ＦＩＲ  カラーフィルタ
ＯＣ  平坦化膜
ＡＬ１，ＡＬ２  配向膜
ＰＯＬ１，ＰＯＬ２  偏光膜
ＳＤ  導電層
【図１】
2009115834.tif 000003
【図２】
2009115834.tif 000004
【図３】
2009115834.tif 000005
【図４】
2009115834.tif 000006
【図５】
2009115834.tif 000007
【図６】
2009115834.tif 000008
【図７】
2009115834.tif 000009
【図８】
2009115834.tif 000010
【図９】
2009115834.tif 000011
【図１０】
2009115834.tif 000012
【図１１】
2009115834.tif 000013
【図１２】
2009115834.tif 000014
【図１３】
2009115834.tif 000015
【図１４】
2009115834.tif 000016
【図１５】
2009115834.tif 000017
【図１６】
2009115834.tif 000018
【図１７】
2009115834.tif 000019
【図１８】
2009115834.tif 000020
【図１９】
2009115834.tif 000021